(57)【要約】【課題】表面側に金属パネルを備えたカーテンウォールにおいて、前記金属パネルの表面歪みを矯正し、全体を緩やかでかつ均等な凸面形状とする。【解決手段】フレーム材５Ａ〜５Ｄ…より構成された面材５の一方面側に金属パネル８が張設されたカーテンウォール１において、前記金属パネル８の裏面側に補強材９，９…を固設するとともに、この補強材９，９…と中間縦フレーム６とに跨って歪み矯正連結金具１５を複数配設し、これら歪み矯正連結金具１５、１５…の配設位置毎に、前記金属パネル８の室内外方向位置を調整可能とする。前記歪み矯正連結金具１５は、フレーム材６に固設された固定金具１６と、この固定金具１６とボルト１８及びナット１９，１９により連結されるとともに、一端部が前記補強材９と結合され、前記ナット１９，１９の螺退進により室内外方向の位置調整が可能とされる位置調整金具１７とからなる。【選択図】　図４
2004027691.tif 000002
【特許請求の範囲】
【請求項１】
フレーム材より構成された面材の一方面側に金属パネルが張設されたカーテンウォールにおいて、
前記金属パネルの裏面側に補強材を固定的に配設するとともに、この補強材とフレーム材とに跨って、室内外方向の出入り調整機能を有する歪み矯正連結金具を１又は複数配設し、これら歪み矯正連結金具の配設位置毎に、前記金属パネルの室内外方向位置を調整可能としたことを特徴とする表面歪みを矯正可能とした金属パネル式カーテンウォール。
【請求項２】
前記歪み矯正連結金具は、フレーム材に固設された固定金具と、この固定金具とボルト／連結軸及びナットにより連結されるとともに、一端部が前記補強材と結合され、前記ナットの螺退進により室内外方向の位置調整が可能とされる位置調整金具とからなる請求項１記載の表面歪みを矯正可能とした金属パネル式カーテンウォール。
【請求項３】
前記位置調整金具は室内外方向の固定用ルーズ孔を有し、調整後にフレーム材に対してビス固定可能としてある請求項１、２いずれかに記載の表面歪みを矯正可能とした金属パネル式カーテンウォール。
【請求項４】
前記歪み矯正連結金具の一端部は、補強材に対して緩衝材を介して連結されている請求項１〜３いずれかに記載の表面歪みを矯正可能とした金属パネル式カーテンウォール。
【請求項５】
前記面材は枠フレーム内部に少なくとも中間縦フレームを有し、前記中間縦フレームに対して前記歪み矯正連結金具が縦方向に沿って１又は複数配設されている請求項１〜４いずれかに記載の表面歪みを矯正可能とした金属パネル式カーテンウォール。
【発明の詳細な説明】
【０００１】
【発明の属する技術分野】
本発明は、表面に張設された金属パネルの表面歪みを容易に矯正可能とした金属パネル式カーテンウォールに関する。
【０００２】
【従来の技術】
近年、ビルなどの建築工事においては、予め工場で製作されたカーテンウォールを外壁に順次建て込んでいくカーテンウォール工法が主流となっている。前記カーテンウォールとしては、ガラス嵌め込み式のものはもちろんのこと、多様なデザイン要求に応じられるように、表面板としてアルミパネル等の金属パネルや、石板、タイル、陶磁器板等を配置したものが種々提供されている。
【０００３】
これらのカーテンウォールの内、アルミパネルをカーテンウォールに使用する場合は、角形鋼材等によってフレーム枠を構成し、その表面側にアルミパネルを張設する構造が一般的に採用されている。
【０００４】
【発明が解決しようとする課題】
しかしながら、前記アルミパネルは数ｍｍの薄板が使用されているため、断面剛性が小さく高い変形性を有する。従って、フレーム枠に張設された状態では完全な平面となることはなく、僅かであるが凸面と凹面とが混在した状態となり、反射された映像によって外面全体が歪んで見えるようになる。この傾向はアルミパネルの大型化に比例して顕著になる傾向がある。
【０００５】
このようなアルミパネルの表面歪みを矯正するため、従来から室外側に凸面となるように据付時に緩やかな湾曲を付与することが行われている。具体的には、図１１に示されるように、枠フレーム５０の内部に設けられた中間縦フレーム５１上において、アルミパネル５２の裏面に上下方向に間隔をおいて水平方向に沿って補強材５３を配設固定するとともに、前記補強材５３に一端を結合させた連結部材５４、５４…を設け、これら連結部材５４に形成された長孔５４ａ（固定用ルーズ孔）に固定用ビスを通して前記中間縦フレーム５１にビス止めする際、連結部材５４の室内外方向位置を調整することにより、アルミパネル５２に対し室外側に凸面となる湾曲を付与するようにしていた。
【０００６】
しかし、前記固定用ルーズ孔による調整の場合には、固定用ビスを緩めてしまうと連結部材が開放されてしまうため微調整が困難であり、アルミパネル全体を室外側に突出した凸曲面に出来るけれども、アルミパネルを単一曲面に沿って精度良く湾曲させることが出来ず、複合曲面となってしまうため、表面の歪みを完全に無くすことは困難な状況にあった。また、その作業も微調整が難しいため多くの労力を要する作業となっていた。
【０００７】
そこで本発明の主たる課題は、表面側に金属パネルを備えたカーテンウォールにおいて、前記金属パネルの表面歪みを容易かつ省力的に矯正可能とし、表面全体を緩やかでかつ均等な凸面形状とし得る金属パネル式カーテンウォールを提供することにある。
【０００８】
【課題を解決するための手段】
前記課題を解決するために請求項１に係る本発明として、フレーム材より構成された面材の一方面側に金属パネルが張設されたカーテンウォールにおいて、
前記金属パネルの裏面側に補強材を固定的に配設するとともに、この補強材とフレーム材とに跨って、室内外方向の出入り調整機能を有する歪み矯正連結金具を１又は複数配設し、これら歪み矯正連結金具の配設位置毎に、前記金属パネルの室内外方向位置を調整可能としたことを特徴とする表面歪みを矯正可能とした金属パネル式カーテンウォールが提供される。
【０００９】
上記請求項１記載の発明においては、室内外方向の出入り調整機能を有する歪み矯正連結金具を配設し、金属パネルの室内外方向位置を任意に調整可能としたため、パネル全体の曲面形状が単一曲面となるように容易かつ省力的に調整でき、表面歪みを目立たなく矯正できるようになる。また、金属パネルの裏側で支持するので、大判の金属板の煽り（室内外方向への変形）を防止できるとともに、調整後に安定したパネル状態を維持できるようになる。
【００１０】
請求項２に係る本発明として、前記歪み矯正連結金具は、フレーム材に固設された固定金具と、この固定金具とボルト／連結軸及びナットにより連結されるとともに、一端部が前記補強材と結合され、前記ナットの螺退進により室内外方向の位置調整が可能とされる位置調整金具とからなる請求項１記載の表面歪みを矯正可能とした金属パネル式カーテンウォールが提供される。前記歪み矯正連結金具の構造としては、室内外方向の出入り調整機能を有するものであれば種々の構造を採用できるが、前記固定金具と位置調整金具とからなるものが好適に採用することができる。位置調整は、前記ナットの螺退進によるため微調整が簡単に行えるようになる。
【００１１】
請求項３に係る本発明として、前記位置調整金具は室内外方向の固定用ルーズ孔を有し、調整後にフレーム材に対してビス固定可能としてある請求項１、２いずれかに記載の表面歪みを矯正可能とした金属パネル式カーテンウォールが提供される。調整後には、前記位置調整金具をビス止めによって堅固にフレーム材に固定し、その後に位置が変化しないようにするのが望ましい。
【００１２】
請求項４に係る本発明として、前記歪み矯正連結金具の一端部は、補強材に対して緩衝材を介して連結されている請求項１〜３いずれかに記載の表面歪みを矯正可能とした金属パネル式カーテンウォールが提供される。緩衝材を介在させることによって、位置調整時において金属同士の接触による擦音を無くすことができる。
【００１３】
請求項５に係る本発明として、前記面材は枠フレーム内部に少なくとも中間縦フレームを有し、前記中間縦フレームに対して前記歪み矯正連結金具が縦方向に沿って１又は複数配設されている請求項１〜４いずれかに記載の表面歪みを矯正可能とした金属パネル式カーテンウォールが提供される。前記歪み矯正連結金具は金属パネルの中間位置、好ましくは中央位置に配設するのが望ましく、かつ縦中央線に沿って複数の位置で行うのが望ましい。
【００１４】
【発明の実施の形態】
以下、本発明の実施の形態について図面を参照しながら詳述する。
図１は本発明に係るカーテンウォール１を使用した建物縦断面図であり、図２はその部分室内側視図（図１のＩＩ−ＩＩ線矢視）、図３はカーテンウォール１の縦断面図である。
【００１５】
図１に示されるように、ビル等の建築物の外壁部分に対して、縦横方向に隣接してカーテンウォール１…、２…が取り付けられている。図示の例では、各床躯体Ｆ間に跨る区間に本発明に係る金属パネル式カーテンウォール１、１が取り付けられ、その中間部分にガラス嵌め込み式カーテンウォール２が取付けられている。
【００１６】
前記金属パネル式カーテンウォール１は、図２に示されるように、枠部フレーム材５Ａ〜５Ｄ、中間縦フレーム６，中間横フレーム７からなる面材５の表面側（室外側面）にアルミパネル等からなる金属パネル８が張設された構造となっている。
【００１７】
以下、更に同図及び図３に基づいて前記金属パネル式カーテンウォール１について詳述すると、前記面材５は、上フレーム５Ａ、下フレーム５Ｂ及び側部フレーム５Ｃ、５Ｄからなる枠フレームの内部に、中間縦フレーム６および中間横フレーム７を備えた構造となっている。前記側部フレーム５Ｃ、５Ｄの中間部には床躯体Ｆに対する取付けのために、上部側取付けブラケット１０と下部側取付けブラケット１１とが夫々設けられるとともに、下端部には後述のように横枠２８に固定するための下端固定板１２が設けられている。
【００１８】
一方、前記面材５の表面側（室外側面）には金属パネル８が、図示例では前記中間横フレーム７を境界として、上部及び下部側にそれぞれ分割された金属パネル８Ａ、８Ｂが張設されている。前記金属パネル８Ａ、８Ｂの水平目地部分にはバックアップ材が充填されるとともに、その表面側にシール材が充填されている。前記金属パネル８の裏面側には、所定厚でグライト吹付け或いはロックウール吹付けを行うのが望ましい。なお、本例ではパネル寸法が大きいため前記金属パネル８を上下に分割した構造としたが、パネル寸法が小さい場合には１枚の金属パネルより構成してもよい。
【００１９】
前記金属パネル８の裏面側には水平方向に沿って複数条の、図示例では上部側金属パネル８Ａの裏面側に水平方向に沿って断面溝型形状の補強材９，９が上下方向に間隔をおいて２条配設されているとともに、下部側金属パネル８Ｂの裏面側にも水平方向に沿って断面溝型形状の補強材９，９が上下方向に間隔をおいて２条配設されている。前記補強材９は、詳細には図４に示されるように、金属パネル８Ａ、８Ｂの裏面側に所定厚さ（３ｍｍ程度）の両面テープ１３，１３を水平方向に沿って２条貼設し、この両面テープ１３，１３に前記補強材９を貼り付けるように固定するとともに、前記両面テープ１３の外側部分であって、金属パネル８と補強材９との隙間部分にシリコンシーラントを充填することにより堅固に貼り付けるようにして固定されている。
【００２０】
前記補強材９と中間縦フレーム６との交差部にはそれぞれ、補強材９と中間縦フレーム６とに跨って、室内外方向の出入り調整機能を有する歪み矯正連結金具１５，１５が配設されている。前記歪み矯正連結金具１５は、詳細には図４に示されるように、中間縦フレーム６に対しビス２０，２０によって移動不能に固定された断面Ｌ字状の固定金具１６と、この固定金具１６とボルト１８及びナット１９、１９により連結され、室内外方向の位置調整が可能とされる断面略Ｌ字状の位置調整金具１７とから構成されている。前記固定金具１６と位置調整金具１７とは、固定金具１６の起立フランジ１６ａを貫いてボルト１８を挿通し、固定ナット２１により固定するとともに、前記ボルト１８のネジ部を位置調整金具１７の起立フランジ１７ａに挿通し、起立フランジ１７ａを跨ぐ両側にそれぞれ位置調整用ナット１９，１９を螺設することにより連結されている。
【００２１】
前記位置調整金具１７は、板面に室内外方向の固定用ルーズ孔１７ｂ、１７ｂを有するとともに、この固定用ルーズ孔１７ｂ、１７ｂを通して中間縦フレーム６に螺入された本固定用ビス２２，２２を備え、かつ先端部分には前記補強材９の溝内部に係合できるようにＴ字状の嵌入係合部１７ｃ、１７ｃを備えている。このＴ字状係合部１７ｃ、１７ｃには、クロロプレンゴム等の弾性材からなる緩衝材２３，２３が外嵌され、補強材９との接触によって金属音が発生しないように配慮されている。なお、前記固定金具１６と位置調整金具１７との連結は、前記ボルト１８に代えて周面にネジ溝が形成された連結軸を用いることでもよい。
【００２２】
かかる金属パネル式カーテンウォール１において、表面側に張設された金属パネル８の表面歪みを矯正するには、前記歪み矯正連結金具１５、１５…の配設位置毎に、本固定用ビス２２を緩めた状態で、ボルト１８に螺設されている調整用ナット１９，１９を螺退進することにより位置調整金具１７を室内外方向に移動し、金属パネル８Ａ、８Ｂの表面形状が単一曲面により室外側に均等に湾曲するように精度良く調整する。金属パネル８Ａ、８Ｂ全体が均一に湾曲することにより、表面の歪みが目立たなくなり、外観の見栄えが向上することになる。金属パネル８Ａ、８Ｂの表面歪みの調整を終えたならば、本固定用ビス２２，２２を締め込み、位置調整金具１７を堅固に固定する。
【００２３】
一方、前記金属パネル式カーテンウォール１の取付けは、図１に示されるように、床躯体Ｆの端部に設けられた上部側取付け装置３と、床躯体Ｆの下面に固定された支持梁２５に支持材２６を取付け、この支持材２６の先端部に設けられた下部側取付け装置４により建物外壁に固定される。
【００２４】
前記上部側取付け装置３は、図８及び図９に示されるように、床躯体Ｆの端部にアンカー金具３０が埋設固定されるとともに、このアンカー金具３０に頭部が嵌合支持され、かつネジ部を外部に突出させて設けられた固定用ボルト３１およびナット３２によってファスナー３３を固定し、一方金属パネル式カーテンウォール１の側部フレーム５Ｃ、５Ｄに固定された上部側取付けブラケット１０と前記ファスナー３３との間にライナー金具３４を介在させた状態で固定用ボルト３５およびナット３６によって締結するようにする。なお、ブラケット１０の水平フランジ１０ａにナット固定された上下調整ボルト３７の下端が前記ライナー金具３４より延在する上部フランジ３４ａの水平面に当接することにより据付時にカーテンウォール１の鉛直方向の建付けが調整されるようになっている。
【００２５】
また前記下部側取付け装置４は、図１０に示されるように、支持材２６の先端下面側にファスナー３６がボルト３７・ナット３８により固定され、金属パネル式カーテンウォール１の側部フレーム５Ｃ、５Ｄに固定された下部側取付けブラケット１１と前記ファスナー３６との間にライナー金具４０を介在させた状態で固定用ボルト４１およびナット４２によって締結するようにする。
【００２６】
更に、カーテンウォール１の上フレーム５Ａ側においては、図６に示されるように、横枠２７の下面側に設けられたナット嵌合溝２７ａ内にナット４３を挿入するとともに、このナット４３に螺入させた上部固定保持ボルト４４の頭部を前記上フレーム５Ａの上面に当接させることにより固定されるようになっている。また、下フレーム５Ｂ側においては、図７に示されるように、横枠２８の室内面側に取付けボルト４５，４５によって固定されたブラケット４６と、側部フレーム５Ｃ、５Ｄの下端部に固定された下端固定板１２とが連結ボルト４７，４７によって連結固定される。
【００２７】
据え付けを終えたカーテンウォール１に対しては、金属パネル８の周囲に対して、図示例ではバックアップ材４９とともに、２条のシール４８，４８が全周に亘って連続するように施工され、気水密性が確保されるようになっている。なお、前記バックアップ材４９の裏当てのために、上部側では図６に示されるように、金属パネル８Ａから延在して起立フランジ８ａが形成され、側部側では図９に示されるように、側部フレーム５Ｃ側において、金属パネル８Ａ、８Ｂから延在して起立フランジ８ｂが形成されている。
【００２８】
【発明の効果】
以上詳説のとおり本発明によれば、表面側に金属パネルを備えたカーテンウォールにおいて、前記金属パネルの表面歪みを容易かつ省力的に矯正可能となる。その結果、金属パネルの表面全体を緩やかでかつ均等な凸面形状とすることができる。
【図面の簡単な説明】
【図１】本発明に係るカーテンウォール１を使用した建物縦断面図である。
【図２】その部分室内側視図（図１のＩＩ−ＩＩ線矢視）である。
【図３】カーテンウォール１の縦断面図であり、（Ａ）は図２のＩＩＩ（Ａ）−ＩＩＩ（Ａ）線矢視図、（Ｂ）は図２のＩＩＩ（Ｂ）−ＩＩＩ（Ｂ）線矢視図である。
【図４】歪み矯正連結金具１５の正面図である。
【図５】歪み矯正連結金具１５の平面図（図４のＶ−Ｖ線矢視図）である。
【図６】カーテンウォール１の上部側納まりを示す縦断面図図である。
【図７】カーテンウォール１の下部側納まりを示す縦断面図である。
【図８】カーテンウォール１の上部側躯体取付け部を示す縦断面図である。
【図９】その平面図である。
【図１０】カーテンウォール１の下部側躯体取付け部を示す縦断面図である。
【図１１】従来の金属パネル式カーテンウォールにおける表面歪み矯正構造を示す縦断面図である。
【符号の説明】
１…金属パネル式カーテンウォール、２…ガラス嵌め込み式カーテンウォール、３…上部側取付け装置、４…下部側取付け装置、５…面材、５Ａ…上フレーム、５Ｂ…下フレーム、５Ｃ・５Ｄ…側部フレーム、６…中間縦フレーム、７…中間横フレーム、８・８Ａ・８Ｂ…金属パネル、９…補強材、１０…上部側取付けブラケット、１１…下部側取付けブラケット、１２…下端固定板、１５…歪み矯正連結金具、１６…固定金具、１７…位置調整金具、１８…ボルト、１９…ナット、２３…緩衝材、４８…シール
【図１】
2004027691.tif 000003
【図２】
2004027691.tif 000004
【図３】
2004027691.tif 000005
【図４】
2004027691.tif 000006
【図５】
2004027691.tif 000007
【図６】
2004027691.tif 000008
【図７】
2004027691.tif 000009
【図８】
2004027691.tif 000010
【図９】
2004027691.tif 000011
【図１０】
2004027691.tif 000012
【図１１】
2004027691.tif 000013